(57)【特許請求の範囲】
【請求項１】
電子機器の筐体の外部に配置されるアンテナ素子を支持するアンテナ素子支持部材であって、
該筐体と別体に構成され、該筐体に固定される該アンテナ素子支持部材の基体が、
該筐体の外部側に突出して該アンテナ素子を支持する素子支持部と、
該筐体の内部側に突出して該アンテナ素子に導通するアンテナケーブルを支持するケーブル支持部と、
を備え、
該素子支持部が、回動可能に配置された該アンテナ素子の回動支点に近い固定端部を支持し、
該アンテナ素子支持部材の該素子支持部が、該基体の一方面に形成され、
該ケーブル支持部が、該基体の他方面に形成され、該アンテナケーブルを該筐体の内側面に離隔しつつ沿って配置するように支持するフックを有する、
アンテナ素子支持部材。
【請求項２】
前記アンテナ素子支持部材の前記素子支持部が、前記アンテナ素子に導通する前記アンテナケーブルが挿通されるケーブル挿通孔をさらに備える、
請求項１に記載のアンテナ素子支持部材。
【請求項３】
前記アンテナ素子支持部材の前記フックが、前記基体から異なる長さで突出するように複数設けられて、前記ケーブル挿通孔に最も近い該フックが、他の該フックよりも長く突出する、
請求項２に記載のアンテナ素子支持部材。
【請求項４】
前記電子機器の前記筐体が金属材料で形成される場合に、
前記アンテナ素子支持部材の前記基体が、樹脂材料で形成される、
請求項１から３のいずれかに記載のアンテナ素子支持部材。
【請求項５】
請求項１から４のいずれかに記載の前記アンテナ素子支持部材と、前記アンテナ素子と、前記筐体と、を備える電子機器。
【発明の詳細な説明】
【技術分野】
【０００１】
本発明は、アンテナ素子支持部材並びにこれを用いる電子機器に関する。
【背景技術】
【０００２】
電子機器（代表的には、音声信号を増幅する増幅器等の映像音響機器）では、映像信号および／または音声信号を無線信号で入力する、あるいは出力する場合がある。また、電子機器の動作を制御するリモートコントロール信号が、無線信号で与えられる場合がある。このような電子機器は、電波である無線信号を送受信するアンテナ素子を備えている。
【０００３】
アンテナ素子は、電子機器の筐体内部に配置される場合もあるが、送受信の感度を高く保つことができるように、筐体の外部に配置されてその向きを変えられる可動構造を有するものがある。例えば、従来には、無線通信機等に用いるアンテナを、当該無線通信機等の筐体に対して任意に回転させることのできる構造がある（特許文献１）。
【０００４】
また、回動可能なアンテナ素子に接続するケーブルは、筐体内部における配線構造にも工夫を要する場合がある。例えば、従来には、装置本体に回転可能に取り付けられた回転可倒式アンテナに一端部が接続され、回転可倒式アンテナと共にアンテナ回転軸を中心として回転し、かつ他端部に装置本体側基板のコネクタに嵌挿するプラグが設けられた回転可倒式アンテナの給電線において、回転可倒式アンテナに対する固定端と前記プラグとの間に、コイル状にループし前記アンテナ回転軸を中心とする捩じり方向で弾性を有する応力緩衝部を設けたものがある（特許文献２）。
【０００５】
また、基板の端にアンテナケーブルを固定配置する孔部と、このアンテナケーブルを基板外側から前記孔部に挿入する切り欠き部と、アンテナケーブルが基板
の孔部から外れてしまわないようにする突起係止部とを一体として基板に構成したことによって、アンテナケーブルの配置位置を一定とするようにしたことを特徴としたアンテナケーブルの基板への固定構造がある（特許文献３）。または、アンテナ素子と、前記アンテナ素子と接続され、引き出しケーブルが接続されるプリント基板と、前記プリント基板に搭載される電子部品が収容されるシールドケースと、前記アンテナ素子、プリント基板、シールドケースを収容するボトムカバー及びトップカバーとを有し、前記シールドケースには、ケーブル保持爪が切り起こし形成され、このケーブル保持爪をかしめることにより前記引き出しケーブルが固定されていることを特徴とするアンテナ装置がある（特許文献４）。
【先行技術文献】
【特許文献】
【０００６】
【特許文献１】特開平５−３７２１７号公報  （第１図〜第３図）
【特許文献２】特開平８−６５０２６号公報  （第１図〜第６図）
【特許文献３】特開２０００−３２３９１３号公報  （第１図〜第３図）
【特許文献４】特開２００４−２８９５２５号公報  （第１図〜第２図）
【０００７】
ただし、映像音響機器のようにその筐体が比較的に大きく、その背面側の外部に回動可能なアンテナ素子を配置するような電子機器の場合には、筐体にアンテナ素子を取り付けて支持する構成を設ける位置と、筐体の内部でアンテナ素子に繋がるアンテナケーブルが導かれる基板が設けられている位置とが、比較的に離間していて、アンテナケーブルを筐体内部で適切に配線し、所定の位置に固定するホルダなどを用意する必要がある場合がある。
【０００８】
また、アンテナケーブルと、筐体を構成する金属シャーシ、あるいは、他の部品との離隔空間が十分に設けられない場合には、アンテナケーブルとこれらの部品が接触して所定の性能が得られない等の問題が発生する場合がある。そこで、アンテナケーブルを固定する点を複数に多くすると、取り付けに要する作業が困難になり、作業工数が増すという問題がある。また、アンテナケーブルを固定する他の専用の部材を用意する場合には、それがコスト増加要因になるという問題がある。
【０００９】
さらに、筐体の外部に配置されてその向きを変えられる可動構造を有するアンテナ素子は、その電子機器が梱包材に梱包された状態で輸送される際に、振動によって動いて梱包材との擦れなどが発生して、望ましくない傷ができる恐れがある。したがって、アンテナ素子の支持部材は、そのようなことが無いように、筐体の所定位置から動かないようにアンテナ素子を支持しておくのが好ましい。
【発明の概要】
【発明が解決しようとする課題】
【００１０】
本発明は、上記の従来技術が有する問題を解決するためになされたものであり、その目的は、アンテナ素子支持部材並びにこれを用いる電子機器に関し、電子機器の筐体の外部に配置されるアンテナ素子を支持するとともに、アンテナ素子に導通するアンテナケーブルを筐体の内部で適切に支持して配置することができるアンテナ素子支持部材を提供することにある。
【課題を解決するための手段】
【００１１】
本発明のアンテナ素子支持部材は、電子機器の筐体の外部に配置されるアンテナ素子を支持するアンテナ素子支持部材であって、筐体に固定されるアンテナ素子支持部材の基体が、筐体の外部側に突出してアンテナ素子を支持する素子支持部と、筐体の内部側に突出してアンテナ素子に導通するアンテナケーブルを支持するケーブル支持部と、を備え、素子支持部が、回動可能に配置されたアンテナ素子の回動支点に近い固定端部を支持する。
【００１２】
また、本発明のアンテナ素子支持部材は、アンテナ素子支持部材の素子支持部が、基体の一方面に形成され、ケーブル支持部が、基体の他方面に形成され、アンテナケーブルを筐体の内側面に離隔しつつ沿って配置するように支持するフックを有する。
【００１３】
また、本発明のアンテナ素子支持部材は、アンテナ素子支持部材の素子支持部が、アンテナ素子に導通するアンテナケーブルが挿通されるケーブル挿通孔をさらに備える。
【００１４】
好ましくは、本発明のアンテナ素子支持部材は、アンテナ素子支持部材のフックが、基体から異なる長さで突出するように複数設けられて、ケーブル挿通孔に最も近いフックが、他のフックよりも長く突出する。
【００１５】
好ましくは、本発明のアンテナ素子支持部材は、電子機器の筐体が金属材料で形成される場合に、アンテナ素子支持部材の基体が、樹脂材料で形成される。
【００１６】
好ましくは、本発明の電子機器は、上記のアンテナ素子支持部材と、アンテナ素子と、筐体と、を備える。
【００１７】
以下、本発明の作用について説明する。
【００１８】
本発明のアンテナ素子支持部材は、電子機器の筐体の外部に配置されるアンテナ素子を支持し、筐体に固定されるアンテナ素子支持部材の基体を有する。アンテナ素子支持部材の基体は、筐体の外部側に突出してアンテナ素子を支持する素子支持部と、筐体の内部側に突出してアンテナ素子に導通するアンテナケーブルを支持するケーブル支持部と、を備える。
【００１９】
ここで、素子支持部は、回動可能に配置されたアンテナ素子の回動支点に近い固定端部を支持する構成になっているので、可動構造を有するアンテナ素子を強固に支持しておくことができる。
【００２０】
アンテナ素子支持部材において、アンテナ素子支持部材の素子支持部は、基体の一方面に形成され、ケーブル支持部は、基体の他方面に形成されてアンテナケーブルを筐体の内側面に離隔しつつ沿って配置するように支持するフックを有する。好ましくは、アンテナ素子支持部材は、電子機器の筐体が金属材料で形成される場合に、アンテナ素子支持部材の基体が、樹脂材料で形成される。
【００２１】
したがって、電子機器の筐体の外部側に突出するように配置されるアンテナ素子を支持することができ、また、映像音響機器のようにその筐体が比較的に大きい場合にも、アンテナケーブルをその筐体の内部側で適切に配線し、金属シャーシ、または、他の部品との接触を避けて、所定の位置に固定することができる。アンテナケーブルを固定する他の部材を用意しなくても良くなるので、作業性を高めてコスト増加を抑制できる利点がある。
【００２２】
アンテナ素子支持部材の素子支持部は、アンテナ素子に導通するアンテナケーブルが挿通されるケーブル挿通孔をさらに備えていてもよい。アンテナ素子支持部材は、素子支持部がアンテナ素子の回動支点に近い固定端部を支持する構成になっているので、アンテナ素子の根元部分を支えて、かつ、ケーブル挿通孔に挿通されるアンテナケーブルを所定の位置に固定することができる。
【００２３】
特に、アンテナ素子支持部材のケーブル支持部のフックを、基体から異なる長さで突出するように複数設けるようにするのが好ましい。このとき、ケーブル挿通孔に最も近いフックが、他のフックよりも長く突出するようにすれば、アンテナ素子の可動に対応したアンテナケーブルの弛みを十分に取ることができ、筐体の金属シャーシに沿って配線することができる。アンテナケーブルの断線等の不具合を避けることができるとともに、アンテナケーブルを電子機器の筐体の内側面に離隔しつつ沿って配置することができる。
【発明の効果】
【００２４】
本発明のアンテナ素子支持部材は、電子機器の筐体の外部に配置されるアンテナ素子を支持するとともに、アンテナ素子に導通するアンテナケーブルを筐体の内部で適切に支持して配置することができる。
【図面の簡単な説明】
【００２５】
【図１】本発明の好ましい実施形態による電子機器のアンテナ素子支持構造を説明する斜視図である。（実施例１）
【図２】本発明の好ましい実施形態による電子機器のアンテナ素子支持構造を説明する斜視図である。（実施例１）
【図３】本発明の好ましい実施形態によるアンテナ素子支持部材を説明する図である。（実施例１）
【発明を実施するための形態】
【００２６】
以下、本発明の好ましい実施形態によるアンテナ素子支持部材並びにこれを用いる電子機器について説明するが、本発明はこれらの実施形態には限定されない。
【実施例１】
【００２７】
図１および図２は、本発明の好ましい実施形態による電子機器１のアンテナ素子支持構造を説明する斜視図である。具体的には、図１は、（図示しない）カバーを取り外した電子機器１の筐体２の一部を背面上側から見た斜視図であり、また、図２は、図１と同じ部位を正面上側から見た斜視図である。さらに、図３は、アンテナ素子支持部材１０を説明する図であり、図３（ａ）と図３（ｂ）とでそれぞれ角度を変えて見た場合の斜視図である。
【００２８】
このアンテナ素子支持構造を含む電子機器１は、具体的には音声信号を増幅する増幅器を含むＡＶレシーバーであり、図を分かりやすくするために、その全体構成と、アンテナ素子支持構造の説明に不要な一部の構成の図示を省略している。本実施例のアンテナ素子支持構造は、ＡＶレシーバーの筐体２において、筐体２の外部側に突出するように配置されるアンテナ素子３を支持する。電子機器１は、無線接続可能な他の電子機器（図示しない）とＢｌｕｅｔｏｏｔｈ（登録商標）またはＷｉ−Ｆｉ（商標）といった通信規格に準じて、アンテナ素子３を介して無線信号を送受信する。
【００２９】
この電子機器１において、回転可倒式のアンテナ素子３は、筐体２の背面パネルにアンテナ素子支持部材１０を介して、筐体２の外側に突出するように取り付けられている。アンテナ素子３は、長い棒状のバーアンテナ部３ａが、固定される固定端部３ｂに対してヒンジ３ｃを支点にして折れ曲がるように動き、また、固定端部３ｂの軸がアンテナ素子支持部材１０に対して周方向に回動可能な構成になっている。したがって、ユーザーは、無線信号の送受信の感度を高く保つことができるように、アンテナ素子３のバーアンテナ部３ａの向きを、所定の範囲内で適切に変更することができる。
【００３０】
なお、このＡＶレシーバーが梱包されて輸送される場合には、図１および図２に示すように、バーアンテナ部３ａが筐体２の背面パネルにほぼ並行になっている状態を標準的な所定位置に設定しておくのが好ましい。この状態では、図２に図示するように、アンテナ素子３は筐体２の背面パネルに隠れて見えていない。筐体２の天面から上側にアンテナ素子３が突出しないようにすれば、梱包された状態でのサイズが最小になり、輸送にも適するようにできる。アンテナ素子支持部材１０は、筐体２に対してアンテナ素子３を所定の位置に支持する。
【００３１】
図１および図２に図示されるアンテナ素子支持構造では、アンテナ素子３が取り付けられる筐体２は、金属材料で形成されるシャーシを含む。金属シャーシにネジ４で取り付けられるアンテナ素子支持部材１０は、樹脂材料で形成されているので、電波の送受信に影響を与えることがない。筐体２の内部には、電子機器１を構成する複数の基板５が取り付けられている。
【００３２】
アンテナ素子３に導通するアンテナケーブル６は、図１および図２に図示されていない他の基板５にその一端が接続するように、アンテナ素子支持部材１０によって筐体２の背面パネルの内面側に沿って配線されている。アンテナケーブル６の他端は、略円筒形状に形成されている固定端部３ｂの内部を挿通されて長い棒状のアンテナ素子３のバーアンテナ部３ａに至る。
【００３３】
アンテナ素子支持部材１０は、樹脂材料で形成されている基体１１が、略直方体形状の部材である。基体１１の一方の面１２には、筐体２の外部側に突出してアンテナ素子３を支持する素子支持部１３が形成されている。面１２は、筐体２の背面パネルを構成する金属シャーシに、筐体２の内面側から当接する面である。面１２には、ネジ４が螺合するネジ穴１９と、基体１１の位置決めを行い回転止めとして機能する凸部２０が形成されている。筐体２の背面パネルには、素子支持部１３、ネジ穴１９、凸部２０にそれぞれ対応する下穴が形成されるので、アンテナ素子支持部材１０は、その一部が筐体２の外側に露出することになる。
【００３４】
アンテナ素子支持部材１０の基体１１において、面１２の反対側の面１４には、素子支持部１３に対応して突出する円筒部１８が形成されて、その内側には基体１１を貫通するケーブル挿通孔１７が規定される。素子支持部１３および円筒部１８に、アンテナ素子３の円筒軸状の固定端部３ｂが嵌合する。したがって、素子支持部１３は、回動可能に配置されたアンテナ素子３の回動支点であるヒンジ３ｃに近い固定端部３ｂを支持する構成になっているので、可動構造を有するアンテナ素子３を強固に支持しておくことができる。
【００３５】
また、アンテナケーブル６は、ケーブル挿通孔１７を通ってアンテナ素子３に接続する。アンテナ素子３に導通するアンテナケーブル６は、筐体２の内部側に至るケーブル挿通孔１７付近でほぼ直角に曲げられるものの、アンテナ素子３の回動に対応して必要な弛みを与えられる。そこで、円筒部１８が面１４から筐体２の内部側に突出する高さは、基体１１の厚みに相当する部位の寸法程度に高くしてある。
【００３６】
また、筐体２の内側に露出する面１４には、筐体２の内部側に突出してアンテナ素子３に導通するアンテナケーブル６を支持するケーブル支持部であるフック１５および１６が形成されている。フック１５および１６は、基体１１から延出された鈎状の部材であり、ケーブル等の配線部材を通す空間をその内側に規定する。フック１５および１６は、アンテナケーブル６をフックの切れ目から通過させれば、その空間の内側に容易に配置して支持させることができる。
【００３７】
ケーブル挿通孔１７に近い位置に設けられるフック１５は、相対的に遠い位置に設けられるフック１６よりも面１４から高く突出している。アンテナ素子支持部材１０のフック１５および１６には、アンテナケーブル６が挿通されて、その結果、アンテナケーブル６は、ケーブル挿通孔１７およびフック１５の付近で大きく曲げられるものの、弛みが与えられることで曲げのストレスを少なくでき、基板５へ接続する他端側がフック１６によって背面パネルに近づき、背面パネルに沿って配線されることになる。
【００３８】
つまり、本実施例のアンテナ素子支持部材１０は、アンテナ素子３の可動範囲に対応してアンテナケーブル６に与えられる弛みを適切にして、背面パネルに沿って配線することができるように、設計されている。筐体２が比較的に大きい電子機器１である場合にも、アンテナケーブル６をその筐体２の内部側で適切に配線し、金属シャーシ、または、他の部品との接触を避けて、所定の位置に固定することができる。
【００３９】
アンテナ素子支持部材１０は、アンテナ素子３を筐体２に取り付けると共に、アンテナケーブル６を筐体２の内部側で固定する他の部材を用意しなくても良くすることができる。したがって、電子機器１の製造においてその作業性を高めてコスト増加を抑制できる利点がある。
【００４０】
なお、上記実施例の場合には、アンテナ素子支持部材１０に設けられるフック１５および１６は、ケーブル挿通孔１７から配線される一方側にアンテナケーブル６を導くように複数設けられているが、ケーブル挿通孔１７の両側に離れて配置されていてもよい。また、複数のフックの向きも、一方方向のみにアンテナケーブル６を導くように限る必要はない。アンテナケーブル６を支持する方向を異なる向きにするように、フックの向きに応じて変えることができれば、アンテナ素子支持部材１０を他の電子機器の設計に用いることができる汎用的な部品にすることができる。
【００４１】
また、アンテナ素子支持部材１０に設けられるフックは、上記のフック１５および１６のように複数設けられる場合に限らず、一つであってもよい。また、鈎上のフックに限らず、アンテナケーブル６を支持することができる構造であればよく、例えばアンテナケーブル６を挟み込む溝が形成された部位であってもよい。
【００４２】
なお、アンテナ素子支持部材１０は、本実施例の樹脂材料で構成される場合に限定されるものではなく、所定の形状を形成する金属板等の部材であってもよい。また、筐体２は、アンテナ素子支持部材１０が取り付けられる部位が、金属シャーシの場合に限らず、樹脂材料で形成されるブラケットのような部材であってもよい。
【００４３】
なお、本発明は上記実施例に限定されない。アンテナ素子支持部材１０が支持する配線部材は、上記のようなアンテナケーブル６の場合に限らず他の被覆電線の場合でも良く、もちろん、複数の配線部材を固定する構造にも利用可能である。また、アンテナ素子支持部材１０と筐体２を固定するネジ４は、バインダーや他の係合手段、あるいは、接着剤を使った接着で代用しても良い。
【産業上の利用可能性】
【００４４】
本発明のアンテナ素子支持部材は、音声信号を増幅する増幅器等の映像音響機器のみならず、他の映像音響機器又は電子計算機等の機器のアンテナ素子支持構造にも適用が可能である。
【符号の説明】
【００４５】
１            アンテナ素子支持
２            筐体
３            アンテナ素子
４            ネジ
５            基板
６            アンテナケーブル
１０          アンテナ素子支持部材
１１          基体
１２、１４    面
１３          素子支持部
１５、１６    フック
１７          ケーブル挿通孔
１８          円筒部
１９          ネジ孔
２０          凸部
【図１】
0006721824.tif 000002
【図２】
0006721824.tif 000003
【図３】
0006721824.tif 000004